(57)【要約】【課題】  保留されているライン以外で通話中であっても被保留ラインを切断することなく保留解除を受け付けることができるＳＩＰ電話機を備えたＶｏＩＰシステムを提供することである。【解決手段】  複数の電話番号が割り当てられたマルチライン対応のＳＩＰ電話機ａ１８〜ｅ２２、ｆ２５〜ｊ２９が、ネットワーク１３を介して接続されるＶｏＩＰシステムであって、被保留状態で、保留されている電話番号以外のラインを使用中のＳＩＰ電話機ｆ２５に、保留側のＳＩＰ電話機ａ１８から保留解除要求があった場合、被保留側のＳＩＰ電話機ｆ２５は、保留解除要求を受け付けた後、保留側のＳＩＰ電話機ａ１８に逆に保留要求を送って保留する構成とする。【選択図】        図１
2005191881.tif 000002
【特許請求の範囲】
【請求項１】
複数の電話番号が割り当てられたマルチライン対応のＶｏＩＰ電話機が、ネットワークを介して接続されるＶｏＩＰシステムであって、
被保留状態で、保留されている電話番号以外のラインを使用中の電話機に、保留側の電話機から保留解除要求があった場合、
被保留側の電話機は、保留解除要求を受け付けた後、前記保留側の電話機に逆に保留要求を送って保留することを特徴とするＶｏＩＰシステム。
【請求項２】
複数の電話番号が割り当てられたマルチライン対応のＶｏＩＰ電話機であって、
被保留状態で、保留されている電話番号以外のラインを使用中に、保留解除要求があった場合、
該保留解除要求を受け付けた後、逆に保留要求を送って保留することを特徴とするＶｏＩＰ電話機。
【発明の詳細な説明】
【技術分野】
【０００１】
本発明は、ＶｏＩＰシステム及びそれを構成するＶｏＩＰ電話機に関するものである。
【背景技術】
【０００２】
現在、ＶｏＩＰ（Voice over Internet Protocol）システム（非特許文献１参照）、所謂インターネット電話が普及しつつある。このＶｏＩＰシステムの代表的な呼制御プロトコルとしてＳＩＰ（Session Initiation Protocol）がある。
【０００３】
ＳＩＰはインターネット仕様をベースにしており、例えば、相手を指定するのに電話番号の他にＵＲＩ（Universal Resource Identifier）が使えたり、呼制御のやり取りをＷｅｂアクセスと同様のリクエスト−レスポンス型で行うなど、既存のインターネット技術を上手く活用している。相手を呼び出すときにはＳＩＰ電話機とＳＩＰサーバの間だけで確認作業を行い、完了すればすぐ通話できるようになる。
【０００４】
そして保留時には、通話中に保留することを意味するＩＮＶＩＴＥを相手方に送り、通話を保留する。これにより、アナログ電話と異なり、保留された側（相手方）は保留されたことを確認して被保留状態になり、保留を実現している。
【０００５】
一方、保留を解除する場合は、保留解除を意味するＩＮＶＩＴＥを相手方におくり、通話を復旧させる。
【０００６】
また特許文献１には、保留時に被保留者側の回線が独占されることを防ぐ回線保留方式が開示されている。具体的には、端末とサーバとの通信中に端末から保留要求が送出された場合、交換手段に設けられた切替手段によって、端末と接続された第２の仮想回線が保留状態に設定され、また、サーバに設けられた制御手段によって、端末と接続されている第２の仮想回線と接続された実回線が開放される。
【０００７】
その後、端末から保留解除要求が送出された場合、切替手段によって、端末と接続された第２の仮想回線が使用状態に設定され、また、制御手段によって、端末と接続された第２の仮想回線と第１の仮想回線とが実回線を介して接続される。
【特許文献１】特開平１０−３０４０６１号公報
【非特許文献１】日経ＮＥＴＷＯＲＫ (2002.6 p.51-p.69)
【発明の開示】
【発明が解決しようとする課題】
【０００８】
しかしながら、複数の電話番号を割り当てて使用するマルチライン対応のＳＩＰ電話機の場合、相手方から保留されて被保留状態になった後、保留されている番号以外のラインに着信、又は保留されている番号以外のラインから発信するなどして、保留されているライン以外を使用中に、被保留ラインが相手方により、保留解除の要求がされた場合、別ラインで通話中であるために、保留解除を受け付けて通話を復旧させることができない。そこで、保留を継続する為に相手方に保留要求を拒否する信号を送信する方法が考えられるが、そうすると、ＳＩＰではその対応が規定されていない為に、保留解除要求を受信したときの相手方の動作が予測できず、相手方の動作によってはエラーを返して切断してしまうことがあるという問題があった。
【０００９】
上記の問題点に鑑み、本発明は、保留されているライン以外で通話中であっても被保留ラインを切断することなく保留解除を受け付けることができるＶｏＩＰ電話機を提供することを目的とする。また該ＶｏＩＰ電話機を用いたＶｏＩＰシステムを提供することも目的とする。
【課題を解決するための手段】
【００１０】
上記目的を達成するために本発明は、複数の電話番号が割り当てられたマルチライン対応のＶｏＩＰ電話機が、ネットワークを介して接続されるＶｏＩＰシステムであって、被保留状態で、保留されている電話番号以外のラインを使用中の電話機に、保留側の電話機から保留解除要求があった場合、被保留側の電話機は、保留解除要求を受け付けた後、前記保留側の電話機に逆に保留要求を送って保留することを特徴とするものである。
【００１１】
また本発明は、複数の電話番号が割り当てられたマルチライン対応のＶｏＩＰ電話機であって、被保留状態で、保留されている電話番号以外のラインを使用中に、保留解除要求があった場合、該保留解除要求を受け付けた後、逆に保留要求を送って保留することを特徴とするものである。
【００１２】
これらの構成によると、見かけ上、通話は保留されたままである。しかし実際は、被保留側の電話機が、一旦保留側電話機からの保留解除を受け付けた後、逆に保留要求しているので、保留側と被保留側とが入れ替わる。
【発明の効果】
【００１３】
本発明によれば、保留側電話機の保留解除要求が拒否されることがないので、保留状態の通話が切断されない。また、保留解除を受け付けて逆に保留する動作時に、被保留側電話機では操作不要であるため、ユーザの負担が増すことはない。
【発明を実施するための最良の形態】
【００１４】
図１は、ＶｏＩＰシステムの構成を示すブロック図である。ＶｏＩＰシステム１０は、本社と支店の関係のような社内ＬＡＮ１１、１２と、社内ＬＡＮ１１、１２間を接続するネットワーク１３と、社内ＬＡＮ１１、１２に様々なサービスを提供するＳＩＰサーバの一つである第１及び第２のプロキシサーバ１４、１５とから構成される。
【００１５】
上記の社内ＬＡＮ１１、１２間は、例えばＶＰＮ（Virtual Private Network）を用いることができる。
【００１６】
社内ＬＡＮ１１は、ネットワーク１３に接続されるＮＡＴ１７と、ＮＡＴ１７に接続され、複数の電話番号が割り当てられたマルチライン対応のＳＩＰ電話機ａ１８〜ｅ２２とを備え、同様に社内ＬＡＮ１２は、ＮＡＴ２４と、ＳＩＰ電話機ｆ２５〜ｊ２９とを備える。
【００１７】
また、ＮＡＴ１７はグローバルＩＰアドレスと内部で使用しているプライベートＩＰアドレスを変換する機能を有し、ルータやファイアウォールソフトウェア等でサポートすることができる。
【００１８】
なお、第１のプロキシサーバ１４に障害があって繋がらない場合は第２のプロキシサーバ１５に接続される。以下の動作説明においては、説明の簡略化のためプロキシサーバの動作を省略している。また、各ＳＩＰ電話機のＣａｌｌ  ＩＤが判れば、プロキシサーバは必ずしも必要ではない。
【００１９】
図２は、ＶｏＩＰシステム１０の動作を示すシーケンス図である。呼の確立手順はインターネットで一般的なＤＮＳに似た手法を使う。例えば、ＳＩＰ電話機ａ１８からＳＩＰ電話機ｆ２５に電話をかける場合、まず、ＳＩＰ電話機ａ１８が「ＩＮＶＩＴＥ」メッセージをＳＩＰ電話機ｆ２５に送り、接続を要求する。これにＳＩＰ電話機ｆ２５が「１００  Ｔｒｙｉｎｇ」、「１８０  Ｒｉｎｇｉｎｇ」、「２００  ＯＫ」メッセージを返し、このメッセージに対するＡＣＫ（acknowledgement）をＳＩＰ電話機ａ１８が返答すれば、通話が始まる。
【００２０】
通話中に、ＳＩＰ電話機ａ１８の保留ボタン（不図示）が押下されると、ＳＩＰ電話機ａ１８が「ＩＮＶＩＴＥ（Ｈｏｌｄ）」メッセージをＳＩＰ電話機ｆ２５に送り、保留を要求する。これにＳＩＰ電話機ｆ２５が「２００  ＯＫ」メッセージを返すと、通話が保留される。ここで、保留を要求したＳＩＰ電話機ａ１８を保留側、保留されたＳＩＰ電話機ｆ２５を被保留側と呼ぶ。
【００２１】
このような被保留状態のＳＩＰ電話機ｆ２５に、ＳＩＰ電話機ｊ２９から「ＩＮＶＩＴＥ」メッセージが送られてくる、つまり呼の接続要求があると、本ＶｏＩＰシステム１０はマルチライン対応なので、ＳＩＰ電話機ｆ２５は「１００  Ｔｒｙｉｎｇ」、「１８０  Ｒｉｎｇｉｎｇ」、「２００  ＯＫ」メッセージを返し、通話を許可する。これにＳＩＰ電話機ｊ２９がＡＣＫを返せば、呼が確立して通話状態となる。
【００２２】
このようにＳＩＰ電話機ｆ２５は、ＳＩＰ電話機ａ１８との通話を保留されたまま、ＳＩＰ電話機ｊ２９と通話できる。この状態でＳＩＰ電話機ａ１８の保留解除ボタン（保留ボタンと共通）が押下されると、ＳＩＰ電話機ａ１８が「ＩＮＶＩＴＥ（保留解除）」メッセージをＳＩＰ電話機ｆ２５に送り、保留解除を要求する。これに応答して、ＳＩＰ電話機ｆ２５は「２００  ＯＫ」メッセージを返し、保留解除要求を受け付ける。続けてＳＩＰ電話機ｆ２５は「ＩＮＶＩＴＥ（Ｈｏｌｄ）」メッセージをＳＩＰ電話機ａ１８に送り、保留を要求する。これにＳＩＰ電話機ａ１８が「２００  ＯＫ」メッセージを返すと、見かけ上、通話は保留されたままである。
【００２３】
実際は、ＳＩＰ電話機ｆ２５が、一旦ＳＩＰ電話機ａ１８からの保留解除を受け付けた後、逆にＳＩＰ電話機ａ１８へ保留要求しているので、ＳＩＰ電話機ｆ２５が保留側、ＳＩＰ電話機ａ１８が被保留側となる。
【００２４】
このように、ＳＩＰ電話機ａ１８の保留解除要求が拒否されることがないので、ＳＩＰ電話機ａ１８とＳＩＰ電話機ｆ２５間の通話が切断されない。また、保留解除を受け付けて逆に保留する動作時に、ＳＩＰ電話機ｆ２５側では操作不要であるため、ユーザの負担が増すことはない。
【００２５】
その後、ＳＩＰ電話機ｆ２５とＳＩＰ電話機ｊ２９との通話が終了し、ＳＩＰ電話機ｆ２５の保留解除ボタン（保留ボタンと共通）が押下されると、ＳＩＰ電話機ｆ２５とＳＩＰ電話機ａ１８間の保留が解除される。
【産業上の利用可能性】
【００２６】
本発明のＶｏＩＰシステムの端末としては、マルチライン対応のＶｏＩＰ電話機が用いられ、ＶｏＩＰ電話機としては、ＳＩＰ電話機等を利用することができる。
【図面の簡単な説明】
【００２７】
【図１】ＶｏＩＰシステムの構成を示すブロック図である。
【図２】ＶｏＩＰシステムの動作を示すシーケンス図である。
【符号の説明】
【００２８】
１０    ＶｏＩＰシステム
１１、１２    社内ＬＡＮ
１３    ネットワーク
１７、２４    ＮＡＴ
１８〜２２、２５〜２９    ＳＩＰ電話機
【図１】
2005191881.tif 000003
【図２】
2005191881.tif 000004